(57)【要約】【課題】蓋部材の、ハウジングへの固定時や温度変化による影響を受けて生じる反りを防止し、好適な光ビーム照射を遂行でき、高品質の画像が得られる光走査装置を提供する。【解決手段】光走査装置２０は、光ビームを被走査面上に照射する光学機器を内部に備えるハウジング２１と、このハウジング２１の開放部をカバーする薄板形状の蓋部材２４とを備え、蓋部材２４が複数に分割され、各々の蓋部材２４が個別にハウジング２１に固定される。これにより、個々の蓋部材２４ａ〜２４ｄのサイズがハウジング２１の開放部に対して小さくなり、反りの発生を抑制することができる。また、ハウジング２１の温度変化により蓋部材２４が膨張、収縮しても、隣り合う蓋部材２４の間で、蓋部材２４の伸縮を調節することができる。【選択図】図５
2010191047.tif 000002
【特許請求の範囲】
【請求項１】
光ビームを被走査面上に照射する光学機器を内部に備えるハウジングと、このハウジングの開放部をカバーする蓋部材とを備えた光走査装置において、
前記蓋部材は、複数に分割され、各々の蓋部材が個別にハウジングに固定されることを特徴とする光走査装置。
【請求項２】
前記蓋部材は、隣り合う蓋部材の互いの隣接箇所が重なり合うことを特徴とする請求項１に記載の光走査装置。
【請求項３】
請求項１または請求項２に記載の光走査装置を搭載したことを特徴とする画像形成装置。
【発明の詳細な説明】
【技術分野】
【０００１】
本発明は、複写機やプリンタ、ファクシミリといった画像形成装置に搭載され、像担持体の表面を光ビーム（例えばレーザ光）で露光走査するための光走査装置に関する。また、この光走査装置を搭載した画像形成装置に関する。
【背景技術】
【０００２】
複写機やプリンタ、ファクシミリといった画像形成装置に搭載される光走査装置は、一般的に、感光体ドラムに代表される像担持体の表面、すなわち被走査面上を走査しながら露光し、感光体ドラム表面に所定の静電潜像を形成するものである。光走査装置において、光源から照射される、例えばレーザ光のような光ビームは、光偏向器によって主走査方向に偏向され、反射ミラーによって被走査面に向けて出射される。
【０００３】
光走査装置は、ハウジングと、このハウジング内に、光源や光偏向器、レンズ、反射ミラーなどのような光ビームを被走査面上に照射する光学機器とを備えている。ハウジングは、一面を開放した箱形状をなし、装置の組み立ての際には、この開放部から内部に光学機器が挿入され、配置される。そして、このハウジングの開放部には、複写機やプリンタといった画像形成装置内で飛散したトナーなどの塵埃が光走査装置内に侵入しないように、カバーとなる薄板形状の蓋部材が備えられ、開放部を塞いでいる。このような構成の光走査装置の一例を、特許文献１に見ることができる。
【先行技術文献】
【特許文献】
【０００４】
【特許文献１】特開２００６−１５４２２８号公報（第６頁、図２）
【発明の概要】
【発明が解決しようとする課題】
【０００５】
特許文献１に記載された光走査装置（光走査ユニット）は、上面に開放部を有するハウジング（ユニット本体部）に対して蓋部材（上面蓋）を設けることにより、ハウジング内部の光学機器が飛散トナーなどの塵埃による悪影響を受けることなく、良好な光ビーム照射ができるようにしている。しかしながら、このような光走査装置の蓋部材は、比較的広い領域の平面部を有し、且つハウジング内を走査する光ビームに干渉しないようにその周縁部のみでハウジングに固定しているので、固定時に中央部がたわんでしまう反りが発生する恐れがある。
【０００６】
ここで、特許文献１に記載された光走査装置には、蓋部材（上面蓋）に、光学機器が照射する光ビームが被走査面に向かう際に通過する開口部が設けられている。光ビームを主走査方向、すなわち感光体ドラムの軸線方向に偏向する必要があるので、ハウジングに設けた前記開口部は、感光体ドラムの軸線方向に比較的長い形状をなしている。そして、この開口部には、ハウジング内に飛散トナーなどの塵埃が侵入しないように防塵ガラスといった光透過性部材が備えられている。
【０００７】
前述のように、蓋部材の固定時、蓋部材に反りが発生すると、その防塵ガラスにも歪みが生じる可能性が高くなる。その結果、光ビームに走査線が湾曲するといった悪影響が及び、画像品質低下の問題が起こる。したがって、光走査装置は、ハウジングへの蓋部材の固定後に、その内部のレンズやミラーなどを操作して走査線の調整ができない構成である場合、蓋部材に発生する恐れのある反りを抑制する工夫を凝らした設計が必要となる。
【０００８】
また、近年では、高速印刷が可能な画像形成装置の普及が広まっている。光走査装置もそれに対応した動作が必要となり、光偏向器の回転多面鏡であるポリゴンミラーを高速で回転させる必要がある。このため、光走査装置では、光偏向器の箇所における発熱量が多大になり、ハウジング全体にもその温度変化の影響が及ぶ恐れがある。すなわち、ハウジングに固定された蓋部材は、温度変化によって膨張、収縮する可能性があり、これに起因して反りが発生することが懸念される。
【０００９】
本発明は上記の点に鑑みなされたものであり、光学機器を内部に備えるハウジングの開放部をカバーする薄板形状の蓋部材を備える光走査装置において、蓋部材の、ハウジングへの固定時や温度変化による影響を受けて生じる反りを防止して、好適な光ビーム照射を遂行することができ、高品質の画像を得ることが可能な光走査装置を提供することを目的とする。また、このような光走査装置を搭載した高性能な画像形成装置を提供することを目的とする。
【課題を解決するための手段】
【００１０】
上記の課題を解決するため、本発明は、光ビームを被走査面上に照射する光学機器を内部に備えるハウジングと、このハウジングの開放部をカバーする蓋部材とを備えた光走査装置において、前記蓋部材は、複数に分割され、各々の蓋部材が個別にハウジングに固定されることとした。
【００１１】
また、上記構成の光走査装置において、前記蓋部材は、隣り合う蓋部材の互いの隣接箇所が重なり合うこととした。
【００１２】
また本発明では、上記光走査装置を画像形成装置に搭載することとした。
【発明の効果】
【００１３】
本発明の構成によれば、光ビームを被走査面上に照射する光学機器を内部に備えるハウジングと、このハウジングの開放部をカバーする蓋部材とを備えた光走査装置において、前記蓋部材は、複数に分割され、各々の蓋部材が個別にハウジングに固定されることとしたので、個々の蓋部材のサイズがハウジングの開放部に対して小さくなり、反りの発生を抑制することができる。これにより、蓋部材に設けられた防塵ガラスの歪みを抑えることができ、走査線の湾曲を防止することが可能である。また、ハウジングの温度変化により蓋部材が膨張、収縮しても、隣り合う蓋部材の間で、蓋部材の伸縮を調節することができる。したがって、蓋部材の膨張、収縮に起因する反りの発生を防止することが可能である。このようにして、蓋部材の、ハウジングへの固定時や温度変化による影響を受けて生じる反りを防止して、好適な光ビーム照射を遂行することができ、高品質の画像を得ることが可能な光走査装置を提供することができる。
【００１４】
また、前記蓋部材は、隣り合う蓋部材の互いの隣接箇所が重なり合うこととしたので、隣り合う蓋部材の間に隙間が生じ、ハウジングの内部と外部との間で空気の流通が容易になるのを防止することができる。これにより、隣り合う蓋部材の間から、飛散トナーなどの塵埃がハウジング内に侵入するのを防止することが可能である。したがって、光走査装置は、蓋部材の反りの抑制作用に加えて、ハウジング内への塵埃の侵入防止作用も高められ、一層好適な光ビーム照射を遂行することができ、さらに高品質の画像を得ることが可能になる。
【００１５】
また本発明では、上記光走査装置を画像形成装置に搭載することとしたので、光走査装置の蓋部材の、ハウジングへの固定時や温度変化による影響を受けて生じる反りを防止して、好適な光ビーム照射を遂行することができ、高品質の画像を得ることが可能な高性能な画像形成装置を提供することができる。
【図面の簡単な説明】
【００１６】
【図１】本発明の実施形態に係る光走査装置を搭載した画像形成装置の模型的垂直断面正面図である。
【図２】図１に示す光走査装置の模型的垂直断面正面図である。
【図３】図２に示す光走査装置の模型的上面図である。
【図４】光走査装置の後方上側から見た斜視図である。
【図５】図４に示す光走査装置の背面図である。
【発明を実施するための形態】
【００１７】
以下、本発明の実施形態を図１〜図５に基づき説明する。
【００１８】
最初に、本発明の実施形態に係る光走査装置を搭載した画像形成装置について、図１を用いてその構造の概略を説明しつつ、画像出力動作を説明する。図１は、画像形成装置の模型的垂直断面正面図である。この画像形成装置は、中間転写ベルトを用いてトナー像を用紙に転写するカラー印刷タイプのものである。
【００１９】
図１に示すように、画像形成装置１の本体２の内部下方には、給紙カセット３が配置されている。給紙カセット３は、その内部に、印刷前のカットペーパーなどの用紙Ｐを積載して収容している。そして、この用紙Ｐは、図１において給紙カセット３の左上方に向けて、１枚ずつ分離されて送り出される。給紙カセット３は、本体２の前面側から水平に引き出すことが可能である。
【００２０】
本体２の内部であって、給紙カセット３の左方には、第１用紙搬送部４が備えられている。第１用紙搬送部４は、本体２の左側面に沿って略垂直に形設されている。そして、第１用紙搬送部４は、給紙カセット３から送り出された用紙Ｐを受け取り、本体２の左側面に沿って垂直上方に二次転写部９まで搬送する。
【００２１】
給紙カセット３の上方であって、第１用紙搬送部４が形設された本体２の左側面とは反対側の側面である右側面の箇所には、手差し給紙部５が備えられている。手差し給紙部５には、給紙カセット３に入っていないサイズの用紙や、厚紙、ＯＨＰシートのように１枚ずつ手で送り込みたいものが載置される。
【００２２】
手差し給紙部５の左方には、第２用紙搬送部６が備えられている。第２用紙搬送部６は、給紙カセット３のすぐ上方にあって、手差し給紙部５から第１用紙搬送部４まで略水平に延び、第１用紙搬送部４に合流している。そして、第２用紙搬送部６は、手差し給紙部５から送り出された用紙などを受け取り、略水平に第１用紙搬送部４まで搬送する。
【００２３】
一方、画像形成装置１は、外部コンピュータ（図示せず）から原稿画像データを受信する。この画像データの情報は、第２用紙搬送部６の上方に配置された露光手段である光走査装置２０に送られる。光走査装置２０により、画像データに基づいて制御されたレーザ光Ｌが、画像形成部３０に向かって照射される。
【００２４】
光走査装置２０の上方には計４台の画像形成部３０が、さらにそれら各画像形成部３０の上方には中間転写体を無端ベルトの形で用いた中間転写ベルト７が備えられている。中間転写ベルト７は、複数のローラに巻き掛けられて支持され、図示しない駆動装置により図１において時計方向に回転する。
【００２５】
４台の画像形成部３０は、図１に示すように、中間転写ベルト７の回転方向に沿って、回転方向上流側から下流側に向けて一列にして配置された所謂タンデム方式である。４台の画像形成部３０とは、上流側から順に、イエロー用の画像形成部３０Ｙ、マゼンタ用の画像形成部３０Ｍ、シアン用の画像形成部３０Ｃ、及びブラック用の画像形成部３０Ｂである。これらの画像形成部３０には、各色に対応する現像剤供給容器及び搬送手段（図示せず）により、現像剤（トナー）が補給される。なお、以下の説明において、特に限定する必要がある場合を除き、「Ｙ」「Ｍ」「Ｃ」「Ｂ」の識別記号は省略するものとする。
【００２６】
各画像形成部３０では、露光手段である光走査装置２０によって照射されたレーザ光Ｌにより原稿画像の静電潜像が形成され、この静電潜像からトナー像が現像される。トナー像は、各画像形成部３０の上方に備えられた一次転写部８で、中間転写ベルト７表面に一次転写される。そして、中間転写ベルト７の回転とともに、所定のタイミングで各画像形成部３０のトナー像が中間転写ベルト７に転写されることにより、中間転写ベルト７表面にはイエロー、マゼンタ、シアン、ブラックの４色のトナー像が重ね合わされたカラートナー像が形成される。
【００２７】
中間転写ベルト７が用紙搬送路に懸かる箇所には、二次転写部９が配置されている。中間転写ベルト７表面のカラートナー像は、第１用紙搬送部４によって同期をとって送られてきた用紙Ｐに、二次転写部９に形成される二次転写ニップ部で転写される。
【００２８】
二次転写後、中間転写ベルト７表面に残留するトナーなどの付着物は、中間転写ベルト７に対してイエロー用の画像形成部３０Ｙの回転方向上流側に設けられた中間転写ベルト７用のクリーニング装置１０によってクリーニング、回収される。
【００２９】
二次転写部９の上方には、定着装置１１が備えられている。二次転写部９にて未定着トナー像を担持した用紙Ｐは、定着装置１１へと送られ、熱ローラと加圧ローラとによりトナー像が加熱、加圧されて定着される。
【００３０】
定着装置１１の上方には、分岐部１２が備えられている。定着装置１１から排出された用紙Ｐは、両面印刷を行わない場合、分岐部１２から画像形成装置１の上部に設けられた用紙排出部１３に排出される。
【００３１】
分岐部１２から用紙排出部１３に向かって用紙Ｐが排出されるその排出口部分は、スイッチバック部１４としての機能を果たす。両面印刷を行う場合には、このスイッチバック部１４において、定着装置１１から排出された用紙Ｐの搬送方向が切り替えられる。そして、用紙Ｐは、分岐部１２、定着装置１１の左方、及び二次転写部９の左方を通って下方に送られ、再度第１用紙搬送部４を経て二次転写部９へと送られる。
【００３２】
続いて、画像形成装置１の光走査装置２０について、図２〜図４を用いてその構造の概略を説明する。図２は光走査装置の模型的垂直断面正面図、図３は光走査装置の模型的上面図、図４は光走査装置の後方上側から見た斜視図である。なお、図２及び図３では、図４に見られる光走査装置の上面に配置された蓋部材の描画を省略している。
【００３３】
前述のように、この光走査装置２０は、イエロー、マゼンタ、シアン、ブラックの４色各々に対応した４個の感光体ドラムが備えられたタンデム型の画像形成装置１に搭載するべく設計されたものである。
【００３４】
光走査装置２０は、図２及び図３に示すように、上面が開放部として形成された箱形状のハウジング２１の内側に、光源２２、光偏向器４０、光学部材群５０、及び光センサ２３で構成される光学機器を備えている。
【００３５】
ハウジング２１は、上面が開放部として形成された箱形状をなしている。ハウジング２１の、この上面の箇所には図４に示す薄板形状の蓋部材２４が装着され、開放部をカバーして塞ぐようになっている。これらハウジング２１及び蓋部材２４は、ともに合成樹脂で構成されている。
【００３６】
光源２２は、ハウジング２１の一方の端部側、すなわち図３において右方の端部側に備えられている。光走査装置２０は、イエロー、マゼンタ、シアン、ブラックの４色に対応したものであって、光源２２も独立した４個が設けられている。光源２２は、可視領域の光ビーム、例えば６７０ｎｍ程度のレーザ光を照射する仕様のレーザダイオードで構成されている。
【００３７】
光偏向器４０は、光源２２の近傍であって、ハウジング２１の一方の端部側、すなわち図３において右方の端部側に備えられている。光偏向器４０は、回転多面鏡であるポリゴンミラー４１と、モータ４２とを備えている。モータ４２は、図２において垂直方向の軸線中心に、正多角形の平面形状をなすポリゴンミラー４１を回転駆動するものである。その軸線中心に回転するポリゴンミラー４１の周囲には、光を反射する反射面が複数設けられている。
【００３８】
４個の光源２２から照射されたレーザ光ＬＹ、ＬＭ、ＬＣ、ＬＢは、各々、副走査方向（図２の上下方向）に微小角度ずつずれた状態でポリゴンミラー４１周囲の反射面に入射する。ポリゴンミラー４１は、回転しながら、その反射面で各レーザ光を反射し、主走査方向（図３の上下方向）に偏向しつつ、ハウジング２１内の他端、すなわち図２及び図３における左方に向けて導く。
【００３９】
光学部材群５０は、ハウジング２１内の、光偏向器４０にて反射されたレーザ光が進む先の領域に備えられている。光学部材群５０は、第１ｆθレンズ５１、第２ｆθレンズ５２、及び反射ミラー５３を備えている。
【００４０】
第１ｆθレンズ５１は、光偏向器４０にて反射されたレーザ光ＬＹ、ＬＭ、ＬＣ、ＬＢが進む、そのすぐ先の箇所に配置されている。第１ｆθレンズ５１は、レーザ光ＬＹ、ＬＭ、ＬＣ、ＬＢに対して共用ものであって、１個備えられている。この第１ｆθレンズ５１では、各レーザ光ＬＹ、ＬＭ、ＬＣ、ＬＢが主走査方向において等速度に偏向される。さらに第１ｆθレンズ５１は、ポリゴンミラー４１へのレーザ光ＬＹ、ＬＭ、ＬＣ、ＬＢの入射角や、ポリゴンミラー４１の面倒れといった走査上の悪影響を補正しながら、各レーザ光ＬＹ、ＬＭ、ＬＣ、ＬＢの副走査方向の角度を若干広げる。
【００４１】
第１ｆθレンズ５１を通過したイエロー用のレーザ光ＬＹは、ハウジング２１の内底面近傍の反射ミラー５３Ｙａで反射し、第１ｆθレンズ５１の方向に折り返される。その後、レーザ光ＬＹは、第２ｆθレンズ５２Ｙを通過し、ハウジング２１の上端近傍の反射ミラー５３Ｙｂにて反射され、被走査面であるイエロー用の感光体ドラム３１Ｙ表面に到達、結像される。
【００４２】
第１ｆθレンズ５１を通過したマゼンタ用のレーザ光ＬＭも、イエロー用のレーザ光ＬＹと同様に、ハウジング２１の内底面近傍の反射ミラー５３Ｍａで反射し、第１ｆθレンズ５１の方向に折り返される。その後、レーザ光ＬＭは、第２ｆθレンズ５２Ｍを通過し、ハウジング２１の上端近傍の反射ミラー５３Ｍｂにて反射され、被走査面であるマゼンタ用の感光体ドラム３１Ｍ表面に到達、結像される。
【００４３】
第１ｆθレンズ５１を通過したシアン用のレーザ光ＬＣは、ハウジング２１の内底面近傍の反射ミラー５３Ｃａで略垂直上方に向かって反射され、続いてハウジング２１の上端近傍の反射ミラー５３Ｃｂで略水平方向に、第１ｆθレンズ５１の方向に折り返される。その後、レーザ光ＬＣは、第２ｆθレンズ５２Ｃを通過し、反射ミラー５３Ｃｃにて反射され、被走査面であるシアン用の感光体ドラム３１Ｃ表面に到達、結像される。
【００４４】
第１ｆθレンズ５１を通過したブラック用のレーザ光ＬＢは、反射ミラーを介すことなく直接、第２ｆθレンズ５２Ｂを通過する。その後、レーザ光ＬＢは、反射ミラー５３Ｂにて反射され、被走査面であるブラック用の感光体ドラム３１Ｂ表面に到達、結像される。
【００４５】
光センサ２３は、図３に示すように、反射ミラー５３Ｙａ、及び第２ｆθレンズ５２Ｍの近傍であって、主走査方向の外側寄りの箇所に配置されている。光センサ２３は、光偏向器４０のポリゴンミラー４１にて反射されたレーザ光のうち、被走査面の有効露光領域外のものを受光する。光センサ２３が受光するレーザ光は、第２ｆθレンズ５２Ｂの近傍に備えられた反射ミラー２５で、光センサ２３に向かって反射される。光センサ２３は、４色各々に対応したレーザ光ＬＹ、ＬＭ、ＬＣ、ＬＢの走査タイミングを計るための同期検知センサであって、ＢＤセンサと呼ばれる。
【００４６】
続いて、光走査装置２０の蓋部材２４の構成について、図４に加えて、図５を用いて詳細に説明する。図５は、光走査装置の背面図である。
【００４７】
図４に示すように、蓋部材２４には、光学機器が照射する光ビームであるレーザ光ＬＹ、ＬＭ、ＬＣ、ＬＢが被走査面である感光体ドラム表面に向かって通過する開口部２６が設けられている。開口部２６は、レーザ光の主走査方向に延びる長方形状をなし、レーザ光ＬＹ、ＬＭ、ＬＣ、ＬＢに対応して４箇所が設けられている。４箇所の開口部２６は、各レーザ光Ｌに対応した４本の感光体ドラム３１が並ぶのと同様にして、並べて配置されている。
【００４８】
４箇所の開口部２６には、光透過性部材である防塵ガラス２７が備えられている。防塵ガラス２７は、開口部２６と同様に主走査方向に延びる直方体形状をなし、開口部２６からハウジング２１内に飛散トナーなどの塵埃が侵入しないように、開口部２６を塞ぐ形で設けられている。
【００４９】
そして、蓋部材２４は、蓋部材２４ａ〜２４ｄとして４枚に分割され、レーザ光の副走査方向、すなわち光走査装置２０の左右方向に並べて配置されている。蓋部材２４ａ〜２４ｄは、それぞれ、開口部２６及び防塵ガラス２７を備え、主走査方向に延びる長方形形状をなしている。蓋部材２４ａ〜２４ｄは、それらのほぼ四隅が、ネジ２８によって、ハウジング２１に対して個別に締結、固定されている。
【００５０】
また、蓋部材２４は、隣り合う蓋部材２４の互いの隣接箇所が重なり合うように、段差を設けた形状で構成されている。この箇所においては、隣り合う蓋部材２４を重ねた状態にして、共用のネジ２８によって２枚の蓋部材２４をハウジング２１に対して締結、固定している。したがって、４枚の蓋部材２４の四隅を固定するネジ２８の数は、計１０個である。
【００５１】
上記のように、光ビームを被走査面上に照射する光学機器を内部に備えるハウジング２１と、このハウジング２１の開放部をカバーする蓋部材２４とを備えた光走査装置２０において、蓋部材２４は、複数に分割され、各々の蓋部材２４が個別にハウジング２１に固定されるので、個々の蓋部材２４ａ〜２４ｄのサイズがハウジング２１の開放部に対して小さくなり、反りの発生を抑制することができる。これにより、蓋部材２４に設けられた防塵ガラス２７の歪みを抑えることができ、走査線の湾曲を防止することが可能である。また、ハウジング２１の温度変化により蓋部材２４が膨張、収縮しても、隣り合う蓋部材２４の間で、蓋部材２４の伸縮を調節することができる。したがって、蓋部材２４の膨張、収縮に起因する反りの発生を防止することが可能である。このようにして、蓋部材２４の、ハウジング２１への固定時や温度変化による影響を受けて生じる反りを防止して、好適な光ビーム照射を遂行することができ、高品質の画像を得ることが可能な光走査装置２０を提供することができる。
【００５２】
また、蓋部材２４は、隣り合う蓋部材２４の互いの隣接箇所が重なり合うので、隣り合う蓋部材２４の間に隙間が生じ、ハウジング２１の内部と外部との間で空気の流通が容易になるのを防止することができる。これにより、隣り合う蓋部材２４の間から、飛散トナーなどの塵埃がハウジング２１内に侵入するのを防止することが可能である。したがって、光走査装置２０は、蓋部材２４の反りの抑制作用に加えて、ハウジング２１内への塵埃の侵入防止作用も高められ、一層好適な光ビーム照射を遂行することができ、さらに高品質の画像を得ることが可能になる。
【００５３】
また本発明では、上記光走査装置２０を画像形成装置１に搭載したので、光走査装置２０の蓋部材２４の、ハウジング２１への固定時や温度変化による影響を受けて生じる反りを防止して、好適な光ビーム照射を遂行することができ、高品質の画像を得ることが可能な高性能な画像形成装置１を提供することができる。
【００５４】
以上、本発明の実施形態につき説明したが、本発明の範囲はこれに限定されるものではなく、発明の主旨を逸脱しない範囲で種々の変更を加えて実施することができる。
【００５５】
例えば、本発明の実施形態では、４個の感光体ドラムが備えられたタンデム型の画像形成装置に搭載される光走査装置を例に掲げて説明したが、対象となる光走査装置はこの形態に限定されるわけではなく、他のタイプの画像形成装置に搭載される光走査装置であっても構わない。
【００５６】
また、分割する蓋部材２４の数量や配置箇所、締結部材であるネジ２８の数量、締結箇所は、本発明の実施形態の構成に限定されるわけではなく、他の数量、箇所で構成しても構わない。
【産業上の利用可能性】
【００５７】
本発明は、光学機器を内部に備えるハウジングの開放部をカバーする蓋部材を備えた光走査装置において利用可能である。
【符号の説明】
【００５８】
１    画像形成装置
２０  光走査装置
２１  ハウジング
２２  光源
２４  蓋部材
２６  開口部
２７  防塵ガラス
２８  ネジ
４０  光偏向器
【図１】
2010191047.tif 000003
【図２】
2010191047.tif 000004
【図３】
2010191047.tif 000005
【図４】
2010191047.tif 000006
【図５】
2010191047.tif 000007